(57)【要約】【課題】レンズを複数備えるレンズ鏡筒においてレンズを安定して保持する構造であってもレンズ鏡筒の長さを短縮する。【解決手段】本発明のレンズ鏡筒３は、互いに並列に配置された第１および第２ガイド軸７，５と、第１レンズ１２ａを保持するとともに、第１ガイド軸７に係合する第１係合部１４ｃと、第１係合部１４ｃに対して第１レンズ１２ａ，３２ａの像側寄りの位置で第２ガイド軸５に係合する第２係合部１４ａとを有する第１保持部材１２と、第１レンズ１２ａとは異なる第２レンズ１１ａを保持して第１保持部材１２と独立して移動可能であるとともに、第２ガイド軸５に対して第２係合部１４ａよりも第２レンズ１１ａの物体側寄りの位置で係合する第３係合部１３ａと、第３係合部１３ａよりも第２レンズ１１ａの像側寄りの位置で第１ガイド軸７に係合する第４係合部１３ｃとを有する第２保持部材１とを有することを特徴とする。【選択図】図２
2010008889.tif 000002
【特許請求の範囲】
【請求項１】
互いに並列に配置された第１および第２ガイド軸と、
第１レンズを保持するとともに、前記第１ガイド軸に係合する第１係合部と、該第１係合部に対して前記第１レンズの像側寄りの位置で前記第２ガイド軸に係合する第２係合部とを有する第１保持部材と、
前記第１レンズとは異なる第２レンズを保持して前記第１保持部材と独立して移動可能であるとともに、前記第２ガイド軸に対して前記第２係合部よりも前記第２レンズの物体側寄りの位置で係合する第３係合部と、該第３係合部よりも前記第２レンズの像側寄りの位置で前記第１ガイド軸に係合する第４係合部とを有する第２保持部材とを有することを特徴とするレンズ鏡筒。
【請求項２】
請求項１に記載のレンズ鏡筒において、
前記第１および第２ガイド軸に並列に配置された第３ガイド軸をさらに有し、
前記第１保持部材は、前記第２係合部よりも前記第１レンズの像側寄りの位置で前記第３ガイド軸に係合する第５係合部を有し、
前記第２保持部材は、前記第３係合部よりも前記第２レンズの像側寄りの位置で前記第３ガイド軸に係合する第６係合部を有することを特徴とするレンズ鏡筒。
【請求項３】
請求項２に記載のレンズ鏡筒において、
前記第６係合部は、前記第４係合部よりも前記第２レンズの物体側寄りの位置で前記第３ガイド軸に係合することを特徴とするレンズ鏡筒。
【請求項４】
請求項１〜３のいずれか一項に記載のレンズ鏡筒において、
前記保持部材の数は、前記ガイド軸の数以下であることを特徴とするレンズ鏡筒。
【請求項５】
請求項２〜４のいずれか一項に記載のレンズ鏡筒において、
前記第２保持部材は、前記第２レンズを保持する第２レンズ枠と、前記第１レンズに対して前記第２レンズ枠と反対側に配置され、前記第１および第２レンズとは異なる第３レンズを保持する第３レンズ枠とを有し、
前記第２レンズ枠は、前記第３、第６および第４係合部の少なくとも１つを有するとともに、前記第３レンズ枠は、前記第３、第６および第４係合部の残りを有することを特徴とするレンズ鏡筒。
【請求項６】
請求項５に記載のレンズ鏡筒において、
前記第２保持部材は、前記第２レンズ枠と第３レンズ枠を一体的に有することを特徴とするレンズ鏡筒。
【請求項７】
請求項１〜６のいずれか一項に記載のレンズ鏡筒において、
前記レンズ鏡筒が有する光学系の物側に配置され、前記光学系の第１の結像特性を調節可能な前側レンズ群と、前記光学系の像側に配置され、前記光学系の第２の結像特性を調節可能な後側レンズ群とを有し、
前記第１保持部材と第２保持部材は、前記後側レンズ群を保持することを特徴とするレンズ鏡筒。
【請求項８】
請求項７に記載のレンズ鏡筒において、
前記後側レンズ群は、前記第１保持部材と前記第２保持部材の前記光軸方向の位置を変更することにより、前記光学系の焦点距離を調節可能としたことを特徴とするレンズ鏡筒。
【請求項９】
請求項７または８に記載のレンズ鏡筒において、
前記前側レンズ群は、前記ガイド軸の少なくとも１つに支持されていることを特徴とするレンズ鏡筒。
【請求項１０】
請求項１〜９のいずれか一項に記載のレンズ鏡筒を備えることを特徴とする撮像装置。
【発明の詳細な説明】
【技術分野】
【０００１】
本発明は、レンズ鏡筒及び撮像装置に関するものである。
【背景技術】
【０００２】
従来、レンズをガイド軸に沿ってレンズの光軸方向に移動することによりズーム動作を行うレンズ鏡筒がある。レンズは保持部材によって保持され、保持部材はその外周にガイド軸が挿入される支持スリーブを備える。ガイド軸における支持スリーブが挿入される位置は、光軸方向に互いに異なるようにシフトされて配置され、このようにシフト配置することによりレンズは倒れにくくなり、安定して保持される（例えば、特許文献１参照）。
【特許文献１】特許第３０７８８９９号公報
【発明の開示】
【発明が解決しようとする課題】
【０００３】
しかし、レンズが複数存在する場合に支持スリーブを光軸方向にシフトさせて配置すると、レンズ鏡筒が長くなる。
【０００４】
本発明の課題は、レンズを複数備えるレンズ鏡筒においてレンズを安定して保持する構造であってもレンズ鏡筒の長さを短縮することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
請求項１に記載の発明は、互いに並列に配置された第１および第２ガイド軸（７，５）と、第１レンズ（１２ａ，３２ａ）を保持するとともに、前記第１ガイド軸（７）に係合する第１係合部（１４ｃ，２２ｃ，３７ｃ）と、該第１係合部（１４ｃ，２２ｃ，３７ｃ）に対して前記第１レンズ（１２ａ，３２ａ）の像側寄りの位置で前記第２ガイド軸（５）に係合する第２係合部（１４ａ，２２ａ，３７ａ）とを有する第１保持部材（１２，３２）と、前記第１レンズ（１２ａ，３２ａ）とは異なる第２レンズ（１１ａ，３１ａ）を保持して前記第１保持部材（１２，３２）と独立して移動可能であるとともに、前記第２ガイド軸（５）に対して前記第２係合部（１４ａ，２２ａ，３７ａ）よりも前記第２レンズ（１１ａ，３１ａ）の物体側寄りの位置で係合する第３係合部（１３ａ，２１ａ，３６ａ）と、該第３係合部（１３ａ，２１ａ，３６ａ）よりも前記第２レンズ（１１ａ，３１ａ）の像側寄りの位置で前記第１ガイド軸（７）に係合する第４係合部（１３ｃ，２１ｃ，３６ｃ）とを有する第２保持部材（１１，３１）とを有することを特徴とするレンズ鏡筒（３）である。
請求項２に記載の発明は、請求項１に記載のレンズ鏡筒（３）において、前記第１および第２ガイド軸（７，５）に並列に配置された第３ガイド軸(６)をさらに有し、前記第１保持部材（１２，３２）は、前記第２係合部（１４ａ，２２ａ，３７ａ）よりも前記第１レンズ（１２ａ，３２ａ）の像側寄りの位置で前記第３ガイド軸（６）に係合する第５係合部（１４ｂ，２２ｂ，３７ｂ）を有し、前記第２保持部材（１１，３１）は、前記第３係合部（１３ａ，２１ａ，３６ａ）よりも前記第２レンズ（１１ａ，３１ａ）の像側寄りの位置で前記第３ガイド軸（６）に係合する第６係合部（１３ｂ，２１ｂ，３６ｂ）を有することを特徴とするレンズ鏡筒（３）である。
請求項３に記載の発明は、請求項２に記載のレンズ鏡筒（３）において、前記第６係合部（１３ｂ，２１ｂ，３６ｂ）は、前記第４係合部（１３ｃ，２１ｃ，３６ｃ）よりも前記第２レンズ（１１ａ，３１ａ）の物体側寄りの位置で前記第３ガイド軸（６）に係合することを特徴とするレンズ鏡筒（３）である。
請求項４に記載の発明は、請求項１〜３のいずれか一項に記載のレンズ鏡筒（３）において、前記保持部材の数は、前記ガイド軸の数以下であることを特徴とするレンズ鏡筒（３）である。
請求項５に記載の発明は、請求項２〜４のいずれか一項に記載のレンズ鏡筒において、前記第２保持部材は、前記第２レンズを保持する第２レンズ枠（３１）と、前記第１レンズに対して前記第２レンズ枠（３１）と反対側に配置され、前記第１および第２レンズとは異なる第３レンズを保持する第３レンズ枠（３３）とを有し、前記第２レンズ枠（３１）は、前記第３、第６および第４係合部（３６ａ，３６ｂ，３６ｃ）の少なくとも１つ（３６ａ，３６ｂ）を有するとともに、前記第３レンズ枠（３３）は、前記第３、第６および第４係合部（３６ａ，３６ｂ，３６ｃ）の残り(３６ｃ)を有することを特徴とするレンズ鏡筒である。
請求項６に記載の発明は、請求項５に記載のレンズ鏡筒において、前記第２保持部材は、前記第２レンズ枠（３１）と第３レンズ枠（３３）を一体的に有することを特徴とするレンズ鏡筒である。
請求項７に記載の発明は、請求項１〜６のいずれか一項に記載のレンズ鏡筒において、前記レンズ鏡筒が有する光学系の物側に配置され、前記光学系の第１の結像特性を調節可能な前側レンズ群（４０）と、前記光学系の像側に配置され、前記光学系の第２の結像特性を調節可能な後側レンズ群（３０）とを有し、前記第１保持部材（３１，３３）と第２保持部材（３２）は、前記後側レンズ群（３０）を保持することを特徴とするレンズ鏡筒である。
請求項８に記載の発明は、請求項７に記載のレンズ鏡筒において、前記後側レンズ群（３０）は、前記第１保持部材（３２）と前記第２保持部材の前記光軸方向の位置を変更することにより、前記光学系の焦点距離を調節可能としたことを特徴とするレンズ鏡筒である。
請求項９に記載の発明は、請求項７または８に記載のレンズ鏡筒において、前記前側レンズ群（４０）は、前記ガイド軸(５，６，７)の少なくとも１つに支持されていることを特徴とするレンズ鏡筒である。
請求項１０に記載の発明は、請求項１〜９のいずれか一項に記載のレンズ鏡筒（３）を備えることを特徴とする撮像装置である。
【０００６】
なお、符号を付して説明した構成は、適宜改良してもよく、また、少なくとも一部を他の構成物に代替してもよい。
【発明の効果】
【０００７】
本発明によれば、レンズを複数備えるレンズ鏡筒においてレンズを安定して保持する構造であってもレンズ鏡筒の長さを短縮することができる。
【発明を実施するための最良の形態】
【０００８】
（第１実施形態）
以下、図面等を参照して、本発明の第１実施形態のレンズ鏡筒３について説明する。図１は第１実施形態のレンズ鏡筒３が装着されたカメラ１の概略側面図である。図２（ａ）はレンズ鏡筒３の内部を概略的に示した図、図３はレンズ鏡筒３における係合部の配置を説明する図である。なお、以下に示す図において、撮影者が光軸Ａを水平として横長の画像を撮影する場合のカメラ１の位置（以下、正位置という）において撮影者から見て左側に向かう方向をＸプラス方向、上側に向かう方向をＹプラス方向、被写体に向かう方向（物体側）をＺプラス方向とする。
【０００９】
図１に示すようにレンズ鏡筒３は、カメラ１に着脱可能に装着されるものである。カメラ１の内部には、レンズ鏡筒３内の光学系を通過した光が結像する撮像素子４が設けられている。撮像素子４とレンズ鏡筒３との間には、図示を省略したミラー、シャッタ等の光学部材が配置されている。
【００１０】
レンズ鏡筒３は、光軸Ａに沿って延びる３本のガイド軸である第1ガイド軸５、第２ガイド軸６、第３ガイド軸７を備える。レンズ鏡筒３の内部には前側フランジ８、後側フランジ９が配置されており、第1ガイド軸５，第２ガイド軸６，第３ガイド軸７のＺ方向プラス側が前側フランジ８，Ｚ方向マイナス側が後側フランジ９によってそれぞれ保持されている。第1ガイド軸５，第２ガイド軸６，第３ガイド軸７は光軸Ａと平行である。第1ガイド軸５，第２ガイド軸６，第３ガイド軸７が光軸Ａと直交する面と交わる点は、光軸Ａを中心とした円周上に等間隔で配置され、第1ガイド軸５，第２ガイド軸６，第３ガイド軸７は３次元的な立体配置となっている。
【００１１】
レンズ鏡筒３の内部には、第１レンズ１１ａ、第２レンズ１２ａをそれぞれ保持する２つの第１レンズ保持枠１１，第２レンズ保持枠１２が配置されている。第１レンズ保持枠１１はＺ方向プラス側（物側）に位置し、第２レンズ保持枠１２はそのＺ方向マイナス側（像側）に位置する。第１レンズ保持枠１１，第２レンズ枠１２は図示を省略した伝達機構により手動又は電動で光軸Ａ方向に沿って移動する。そして光軸Ａ方向への第１レンズ保持枠１１，第２レンズ保持枠１２の移動によってズーミングが行われる。
【００１２】
図２（ａ）に示すように、第１レンズ保持枠１１は、第１係合部１３ａ、第２係合部１３ｂ、第３係合部１３ｃを有し、第２レンズ保持枠１２は第１係合部１４ａ、第２係合部１４ｂ、第３係合部１４ｃを有している。第１係合部１３ａ及び１４ａには第1ガイド軸５が挿通され、第２係合部１３ｂ及び１４ｂには第２ガイド軸６が挿通され、第３係合部１３ｃ、１４ｃには第３ガイド軸７が挿通されている。係合部１３ａ，１３ｂ，１３ｃ及び係合部１４ａ，１４ｂ，１４ｃが第1ガイド軸５，第２ガイド軸６，第３ガイド軸７に沿って滑動することにより第１レンズ保持枠１１，第２レンズ保持枠１２が光軸Ａ方向に移動する。光軸方向Ａへの第１レンズ保持枠１１の最大移動量はＬ１、第２レンズ保持枠１２の最大移動量はＬ２である。
【００１３】
次に、第１レンズ保持枠１１及び第２レンズ保持枠１２における各係合部の第1ガイド軸５，第２ガイド軸６，第３ガイド軸７に対する配置を説明する。図２（ａ）及び図３に、第１レンズ保持枠１１における係合部１３ａ，１３ｂ，１３ｃの配置を図中斜線を引いた丸で示し、第２レンズ保持枠１２における係合部１４ａ，１４ｂ，１４ｃの配置を白丸で示す。
【００１４】
第１レンズ保持枠１１における係合部１３ａ，１３ｂ，１３ｃのうち、図３に示すように、第１係合部１３ａがレンズ鏡筒３の最もＺ方向プラス側（物体側）に位置し、第３係合部１３ｃが最もＺ方向マイナス側に位置し、第２係合部１３ｂがこれらの中間に位置するように配置される。これにより、係合部１３ａ，１３ｂ，１３ｃは光軸Ａの方向で異なった位置に配置される。図３において破線で示す螺旋１６は、これらの係合部１３ａ，１３ｂ，１３ｃを順に結ぶ軌跡である。
【００１５】
第１係合部１３ａは螺旋１６と第1ガイド軸５との交点に位置しており、この位置が螺旋１６の始点となっている。螺旋１６はこの始点からＺ方向マイナス側に延びており、第２係合部１３ｂは第１係合部１３ａの始点を基準としたとき、螺旋１６におけるＺ方向マイナス側（像側）で且つ第２ガイド軸６との交点に配置される。第３係合部１３ｃは螺旋１６におけるさらにＺ方向マイナス側（像側）で且つ第３ガイド軸７との交点に配置される。
【００１６】
第２レンズ保持枠１２における係合部１４ａ，１４ｂ，１４ｃのうち、図３に示すように、第３係合部１４ｃがレンズ鏡筒３の最もＺ方向プラス側（物体側）に位置し、第２係合部１４ｂが最もＺ方向マイナス側（像側）に位置し、第１係合部１４ａがこれらの中間に位置するように配置される。これにより、係合部１４ａ，１４ｂ，１４ｃは光軸Ａの方向で異なった位置に配置される。図３において一点破線で示す螺旋１７は、これらの係合部１４ａ，１４ｂ，１４ｃを順に結ぶ軌跡である。
【００１７】
第３係合部１４ｃは螺旋１７における第３ガイド軸７との交点に位置しており、この位置が螺旋１７の始点となっている。螺旋１７はこの始点からＺ方向マイナス側に延びており、第１係合部１４ａは第３係合部１４ｃの始点を基準としたとき、螺旋１６におけるＺ方向マイナス側で且つ第1ガイド軸５との交点に配置される。第２係合部１４ｂは螺旋１７におけるさらにＺ方向マイナス側で且つ第２ガイド軸６との交点に配置される。
【００１８】
すなわち、第１レンズ保持枠１１の螺旋１６の始点（最もＺ方向プラス側）となる第１係合部１３ａが第1ガイド軸５上に配置されるのに対し、第２レンズ保持枠１２の始点（最もＺ方向プラス側）となる第３係合部１４ｃは第1ガイド軸５上ではなく、第３ガイド軸７上に配置される。また、図２（ａ）で示すように、螺旋１６，１７の始点（最もＺ方向プラス側）となる第１係合部１３ａ，第２係合部１４ｃは光軸Ａの軸方向における同じ位置に配置されている。螺旋１７と螺旋１６は、同じ向きで互いに平行に延び、互いに交差しない多条ネジ状となっている。
【００１９】
次に、本実施形態のレンズ鏡筒の動作について説明する。図２（ａ）において、第１レンズ１１ａ，第２レンズ１２ａが最も後退した位置（Ｚ方向マイナス側に配置された位置）にある状態を破線で示す。なお、第１レンズ１１ａは第２係合部１３ｂの位置に保持され、第２レンズ１２ａは第２係合部１４ｂの位置に保持されているものとする。
【００２０】
この位置から第１レンズ保持枠１１及び第２レンズ保持枠１２を光軸Ａに沿って移動させてズーミングする。第１レンズ保持枠１１は直線距離Ｌ１移動し、第２レンズ保持枠１２は直線距離Ｌ２移動する。ズーミング後の第１レンズ保持枠１１，第２レンズ保持枠１２が最も前進した位置（Ｚ方向プラス側に配置された位置）にある状態を実線で示す。
【００２１】
ここで、レンズ鏡筒３の長さは、前側フランジ８と後側フランジ９との間の距離Ｍに大きく影響を受ける。そして、Ｍを最小にしようとしたときに、後側フランジ９の位置は、第１レンズ１１ａ，第２レンズ１２ａが後退した位置にあるときの第３係合部１３ｃの位置により決まる。また、前側フランジ８の位置は、第１レンズ１１ａ，第２レンズ１２ａが前進した位置にあるときの第１係合部１３ａ及び第３係合部１４ｃの位置によって決まる。
【００２２】
図２（ｂ）は、図２（ａ）に示す本実施形態と同様な構造における比較形態である。図２（ｂ）においても、第１実施形態と同様に第１レンズ保持枠１１’の係合部１３ａ’，１３ｂ’，１３ｃ’は螺旋上に配置され、第２レンズ保持枠１２’の係合部１４ａ’，１４ｂ’，１４ｃ’も螺旋上に配置される。第１実施形態と異なる点は、第２レンズ保持枠１２’の係合部も、第１レンズ保持枠１１’と同様に、第1ガイド軸５上の第１係合部１４ａ’を始点とするように（第１係合部１４ａ’が最もＺ方向プラス側となるように）配置されている点である。第１係合部１４ａ’は第1ガイド軸５’における第１係合部１３ａ’よりもＺ方向マイナス側に位置している。
【００２３】
図２（ｂ）で示す比較形態の係合部の配置構造において、第１レンズ保持枠１１’及び第２レンズ保持枠１２’を光軸Ａに沿って移動させてズーム駆動する。比較形態でも、前進した位置と後退した位置との間で第１レンズ保持枠１１’は直線距離Ｌ１移動し、第２レンズ保持枠１２’は直線距離Ｌ２移動するものとする。このときの前側フランジ８’と後側フランジ９’との間の距離は、図２で示すように距離Ｎとなる。
【００２４】
図２（ａ）及び図２（ｂ）の比較からわかるように、２つの第１レンズ保持枠１１，第２レンズ保持枠１２の最も物体側（Ｚ方向プラス側）に位置する係合部を、異なるガイド軸上に設定した第１実施形態における前側フランジ８と後側フランジ９との間の距離はＭである。最もＺ方向プラス側となる係合部を同じガイド軸上に設定した比較形態における前側フランジ８’と後側フランジ９’との間の距離はＮである。そしてＭはＮより係合部１４ｃ’の幅の分の長さＳだけ短い。すなわち、本実施形態は比較形態よりも長さＳだけレンズ鏡筒３の光軸方向の長さを短くすることができ、レンズ鏡筒３をコンパクトに製造することができる。
【００２５】
（第２実施形態）
図４（ａ）は本発明の第２実施形態のレンズ鏡筒の内部を概略的に示した図である。第２実施形態において、第１実施形態と同一の部材には同一の符号を付す。第２実施形態は、レンズをそれぞれ有する３つのレンズ保持枠（図示省略）が光軸Ａに沿った方向に移動可能となっている。
【００２６】
３つのレンズ保持枠は第1ガイド軸５，第２ガイド軸６，第３ガイド軸７に沿って滑動する係合部をそれぞれ３つずつ有している。図４において、符号２１ａ，２２ａ，２３ａはそれぞれのレンズ保持枠の第１係合部であり、第1ガイド軸５を滑動する。符号２１ｂ，２２ｂ，２３ｂはそれぞれのレンズ保持枠の第２係合部であり、第２ガイド軸６を滑動する。符号２１ｃ，２２ｃ，２３ｃはそれぞれのレンズ保持枠の第３係合部であり、第３ガイド軸７を滑動する。
【００２７】
それぞれのレンズ保持枠の係合部は、それぞれの螺旋状の軌跡に沿って配置される。それぞれの螺旋状の軌跡は同じ向きで、相互に平行であって交差することのない多条ネジ状となっている。また、それぞれのレンズ保持枠の係合部は、螺旋状の軌跡と第1ガイド軸５，第２ガイド軸６，第３ガイド軸７との交点に配置される。
【００２８】
図４（ａ）において、実線は各レンズ保持枠が最も前進（Ｚ方向プラス側に位置）した場合の係合部の位置を、破線は最も後退（Ｚ方向マイナス側に位置）した場合の係合部の位置を示している。第１レンズ保持枠の係合部を順に結ぶ螺旋状の軌跡は、第1ガイド軸５上に配置された実線で示す第１係合部２１ａを始点としている。つまり、第１係合部２１ａが第1ガイド軸５上の最もＺ方向プラス側に位置する。第１レンズ保持枠の第２係合部２１ｂは第１係合部２１ａのＺ方向マイナス側で上記軌跡と第２ガイド軸６との交点に配置され、第３係合部２１ｃは第２係合部２１ｂのＺ方向マイナス側で上記軌跡と第３ガイド軸７との交点に配置される。
【００２９】
第２レンズ保持枠の係合部を順に結ぶ螺旋状の軌跡は、第３ガイド軸７上に配置された実線で示す第３軸受２２ｃを始点としている。第２レンズ保持枠の第１係合部２２ａは第３係合部２１ｃのＺ方向マイナス側で上記軌跡と第1ガイド軸５との交点に配置され、第２係合部２２ｂは第１係合部２２ａのＺ方向マイナス側で上記軌跡と第２ガイド軸６との交点に配置されている。
【００３０】
第３レンズ保持枠の係合部を順に結ぶ螺旋状の軌跡は、第２ガイド軸６上に配置された実線で示す第２係合部２３ｂを始点としている。第３レンズ保持枠の第３係合部２３ｃは第２係合部２２ｂのＺ方向マイナス側で上記軌跡と第３ガイド軸７との交点に配置され、第１係合部２３ａは第３係合部２３ｃのＺ方向マイナス側で上記軌跡と第1ガイド軸５との交点に配置されている。以上、第１レンズ保持枠、第２レンズ保持枠、第３レンズ保持枠のそれぞれの最も物体側（Ｚ方向プラス側）に位置する係合部は、異なったガイド軸上に設定されている。
【００３１】
図４（ｂ）はこの実施形態の比較形態を示す。比較形態においては、第１レンズ保持枠の係合部を順に結ぶ螺旋状の軌跡は、第1ガイド軸５’上に配置された実線で示す第１係合部２１ａ’を始点（最もＺ方向プラス側）としている。第２レンズ保持枠の係合部を順に結ぶ螺旋状の軌跡も、第1ガイド軸５’上に配置された実線で示す第１係合部２２ａ’を始点（最もＺ方向プラス側）とし、第３レンズ保持枠の係合部を順に結ぶ螺旋状の軌跡も、第1ガイド軸５’上に配置された実線で示す第１係合部２３ａ’を始点（最もＺ方向プラス側）としている。すなわち、比較形態では、全てのレンズ保持枠の係合部を順に結ぶ螺旋状の軌跡の始点つまり、最も（Ｚ方向プラス側）となる係合部が同じガイド軸である第1ガイド軸５’上に設定されている。
【００３２】
第２実施形態及び比較形態の構造で、ズーミングのために全てのレンズ保持枠を光軸Ａに沿って移動させる。第２実施形態においては、図４（ａ）に示すように、前側フランジ８と後側フランジ９との間の距離はＭ２となる。比較形態においては、図４（ｂ）に示すように、前側フランジ８’と後側フランジ９’との間の距離は距離Ｎ２となる。
【００３３】
距離Ｍ２は、距離Ｎ２よりも係合部２２ｃ’と係合部２３ｃ’の幅を足した長さであるＳ２だけ短い。すなわち、第２実施形態においても比較形態よりも長さＳ２だけレンズ鏡筒３を光軸方向に短くすることができ、レンズ鏡筒３のコンパクト化が可能となる。
【００３４】
（第３実施形態）
図５〜図７は、本発明の第３実施形態を示す。この実施形態において、第１実施形態と同一の部材には同一の符号を付す。第３実施形態は、複数のレンズが組付けられたレンズ組立体１００に本発明を適用したものである。
【００３５】
レンズ組立体１００は、レンズ鏡筒の内部に配置されるものである。レンズ組立体１００はＺ方向マイナス側の後側レンズ群３０と、Ｚ方向プラス側の前側レンズ群４０とを備える。レンズ組立体１００は、さらに前側フランジ８と、後側フランジ９と、両端部でこれらを連結する３本の第1ガイド軸５，第２ガイド軸６，第３ガイド軸７とを備える。第1ガイド軸５、第２ガイド軸６及び第３ガイド軸７はいずれも光軸Ａと平行となるように延びている。
【００３６】
前側フランジ８は、３本の第1ガイド軸５，第２ガイド軸６，第３ガイド軸７のＺプラス部分にネジ止めされている。前側レンズ群４０は前側フランジ８を貫通しており、フォーカスレンズとして機能する。前側レンズ群４０はヘリコイド環４１に回転可能に取り付けられている。ヘリコイド環４１は円周上にスリーブ４１ａを有し、スリーブ４１ａには第２ガイド軸６が挿通されている。ヘリコイド環４１の内側と前側レンズ群４０の外側の対応部分の一方には、ヘリコイド溝（図示省略）が形成され、他方にはヘリコイド溝を摺動するピン（図示省略）が形成されている。ヘリコイド環１５を光軸Ａ方向に移動させると、前側レンズ群４０が光軸Ａ方向に回転しつつ前後移動し、フォーカス調整が行われる。
【００３７】
レンズ組立体１００の光軸Ａ方向のＺ方向マイナス側には、レンズマウント３５が取り付けられており、レンズマウント３５には後側フランジ９がネジで締結されている。レンズマウント３５はカメラ１への取り付けを行うものである。
【００３８】
後側レンズ群３０は、第１レンズ３１ａを保持する第１レンズ保持枠３１、第２レンズ３２ａを保持する第２レンズ保持枠３２、及び第３レンズ３３ａを保持する第３レンズ保持枠３３を備える。これらのレンズが光軸Ａに沿って移動することにより後側レンズ群３０はズーム駆動を行うようになっている。
【００３９】
第１レンズ保持枠３１は連結ロッド４５，４６により連結筒３４に連結され、連結筒３４に第３レンズ保持枠３３が固定されることにより、第１レンズ保持枠３１と第３レンズ保持枠３３とが固定されて一体的に光軸Ａ方向に移動する。また、連結ロッド４５，４６は第1ガイド軸５，第２ガイド軸６，第３ガイド軸７と同様に光軸Ａと平行となっている。
【００４０】
第１レンズ保持枠３１は２つの係合部を有している。第１レンズ保持枠３１の第１係合部３６ａは第1ガイド軸５が貫通することにより同軸５に支持されている。第２係合部３６ｂには第２ガイド軸６が貫通している。また、第２係合部３６ｂは連結ロッド４６を介して連結筒３４に連結されている。連結筒３４は１つの第３係合部３６ｃを有しており、第３係合部３６ｃに第３ガイド軸７が貫通されている。すなわち、第１レンズ保持枠３１と第３レンズ保持枠３３とは、第１係合部３６ａ、第２係合部３６ｂ、第３係合部３６ｃによって、第1ガイド軸５，第２ガイド軸６、第３ガイド軸７に一体的にスライド可能に支持されている。
【００４１】
第２レンズ保持枠３２は第１レンズ保持枠３１及び第３レンズ保持枠３３の間に配置されている。第２レンズ保持枠３２は３つの係合部３７ａ，３７ｂ，３７ｃを有する。第１係合部３７ａには第1ガイド軸５が貫通し、第２係合部３７ｂには第２ガイド軸６が貫通し、第３係合部３７ｃには第３ガイド軸７が貫通されている。
【００４２】
次に、第１レンズ保持枠３１及び第３レンズ保持枠３３を支持する第１係合部３６ａ、第２係合部３６ｂ、第３係合部３６ｃの配置関係を説明する。図７（ａ）は第３実施形態のレンズ鏡筒の内部を概略的に示した図２と同様の図である。
【００４３】
図７（ａ）においても、第１レンズ保持枠３１及び第３レンズ保持枠３３における係合部３６ａ，３６ｂ，３６ｃの配置を図中斜線を引いた丸で示し、第２レンズ保持枠３２における係合部３７ａ，３７ｂ，３７ｃの配置を白丸で示す。
【００４４】
第１レンズ保持枠３１及び第３レンズ保持枠３３における係合部３６ａ，３６ｂ，３６ｃのうち、図８に示すように、第１係合部３６ａがレンズ組立体１００の最もＺ方向プラス側に位置し、第３係合部３６ｃが最もＺ方向マイナス側に位置し、第２係合部３６ｂがこれらの中間に位置するように配置される。これにより、係合部３６ａ，３６ｂ，３６ｃは光軸Ａの方向で異なった位置に配置される。
【００４５】
第２レンズ保持枠１２における係合部３７ａ，３７ｂ，３７ｃのうち、図３に示すように、第３係合部３７ｃがレンズ組立体１００の最もＺ方向プラス側に位置し、第２係合部３７ｂが最もＺ方向マイナス側に位置し、第１係合部３７ａがこれらの中間に位置するように配置される。これにより、係合部３７ａ，３７ｂ，３７ｃは光軸Ａの方向で異なった位置に配置される。
【００４６】
このレンズ組立体１００の組み立ては、次のようにして行う。まず、連結筒３４の係合部３８を第３ガイド軸７に挿通する。そして、それぞれの第1ガイド軸５，第２ガイド軸６，第３ガイド軸７に第２レンズ保持枠３２の係合部３７ａ，３７ｂ，３７ｃを挿通する。その後、第１レンズ保持枠３１の第１係合部３６ａに第1ガイド軸５を挿通させ、第２係合部３６ｂに第２ガイド軸６を挿通する。その後、第１レンズ保持枠３１と連結筒３４とを連結ロッド４５，４６によって連結する。このように組み立てることにより、第1ガイド軸５，第２ガイド軸６，第３ガイド軸７の一方の端から連結筒３４、第２レンズ保持枠３２、第１レンズ保持枠３１を順次組付けることができる。これにより、レンズ鏡筒の組み立て作用を容易に行うことができる。
【００４７】
次に、第３実施形態のレンズ鏡筒の動作について説明する。図７（ａ）において、第１レンズ保持枠３１及び第３レンズ保持枠３３と、第２レンズ保持枠３２が最も後退した位置（Ｚマイナス側に配置された位置）にある状態を破線で示す。
【００４８】
この位置から第１レンズ保持枠３１及び第３レンズ保持枠３３と、第２レンズ保持枠３２とを光軸Ａに沿って移動させてズーム駆動すると、第１レンズ保持枠３１及び第３レンズ保持枠３３は直線距離Ｌ１移動し、第２レンズ保持枠１２は直線距離Ｌ２移動する。ズーム駆動後の第１レンズ保持枠３１及び第３レンズ保持枠３３第が最も前進した位置（Ｚマイナス側に配置された位置）にある状態を実線で示す。
【００４９】
第３実施形態においても、後側フランジ９の位置は、第１レンズ１１ａ，第２レンズ１２ａが後退した位置にあるときの係合部３６ｃの位置により決まる。また、前側フランジ８の位置は、第１レンズ１１ａ，第２レンズ１２ａが前進した位置にあるときの第１係合部３６ａ、第３係合部３７ｃの位置によって決まる。第３実施形態において前側フランジ８と後側フランジ９との間の距離は、図７（ａ）で示すように距離Ｍ３となる。
【００５０】
図７（ｂ）は、図７（ａ）に示す本実施形態と同様な構造における比較形態である。比較形態は、第１実施形態の比較形態と同様に、図７（ａ）に示す第３実施形態と異なる点は、第１レンズ保持枠３１’及び第３レンズ保持枠３３’の係合部を順に結ぶ螺旋状の軌跡及び第２レンズ保持枠３２’の係合部を順に結ぶ螺旋状の軌跡の始点、すなわち各保持枠の最も物体側（Ｚ方向プラス側）に位置する係合部が第1ガイド軸５’上にある点である。
【００５１】
図７（ａ）及び図７（ｂ）の比較から明らかなように、第１レンズ保持枠３１，第３レンズ保持枠３３の最も物体側に位置する係合部と第２レンズ保持枠３２の最も物体側に位置する係合部とを異なったガイド軸上に設定した第３実施形態における前側フランジ８と後側フランジ９との間の距離はＭ３であり、螺旋の始点を同じガイド軸上に設定した比較形態における前側フランジ８’と後側フランジ９’との間の距離はＮ３である。Ｍ３はＮ３より長さＳ３だけ短い。すなわち、第３実施形態では比較形態よりも長さＳ３だけレンズ鏡筒３の光軸方向の長さを短くすることができ、レンズ鏡筒３のコンパクト化が可能となる。
【００５２】
以上、上述の実施形態によると、以下の効果を有する。
（１）本実施形態によると、光軸方向の端部に位置する係合部が互いに異なるガイド軸に支持されるようにした。これにより、レンズが移動するために必要なレンズ鏡筒の長さを短縮することができ、レンズ鏡筒のコンパクト化が可能になる。
（２）それぞれのレンズ保持枠を保持する係合部がそれぞれのガイド軸に保持される点を結んだ螺旋状の軌跡が、互いに交差しない多条ネジ状であるため、レンズ駆動時にレンズ保持枠が干渉することがない。
第３実施形態においては、第１レンズ保持枠３１と第３レンズ保持枠３３とにおいて、ガイド軸に対する係合部が分散して配置されている。このため、オフセット位置に配置される係合部のガイド軸に対する取り付けが容易になる。
【００５３】
（変形形態）
以上、説明した実施形態に限定されることなく、以下に示すような種々の変形や変更が可能であり、それらも本発明の範囲内である。
（１）上述の実施形態では、カメラに着脱可能なレンズ鏡筒について説明したが、本発明はこれに限定されず、レンズ鏡筒はカメラと一体型のものであってもよい。
（２）また、上述の実施形態では、ガイド軸が３本のものを例にして説明したが本発明はこれに限定されず、ガイド軸の本数は２本であっても３本以上であってもよい。
また、ガイド軸の間隔は等間隔のものに限られない。図８（ａ）はガイド軸が２本の場合の変形形態におけるレンズ鏡筒の内部を概略的に示した図であり、図８（ｂ）は係合部の配置を説明する図である。図示するように、本変形形態のレンズ鏡筒は、互いに並列に配置された２本の第１ガイド軸７および第２ガイド軸５を備える。そして、第１レンズ１２ａを保持するとともに、第１ガイド軸７に係合する第１係合部１４ｃと、第１係合部１４ｃに対して第１レンズの像側寄りの位置で第２ガイド軸５に係合する第２係合部１４ａとを有する第１保持部材１２，３２を備える。
さらに第１レンズ１２ａとは異なる第２レンズ１１ａを保持して第１保持部材１２と独立して移動可能であるとともに、第２ガイド軸５に対して第２係合部１４ａよりも第２レンズの物体側寄りの位置で係合する第２係合部１３ａと、第３係合部１３ａ，２１ａ，３６ａよりも第２レンズ１１ａの像側寄りの位置で第１ガイド軸７に係合する第４係合部１３ｃとを有する第２保持部材１１，３１とを有する。
（３）上述の実施形態では、レンズ保持枠が３つある例までを説明したが、ガイド軸の数以下であれば、レンズ保持枠は３以上であってもよい。
なお、実施形態及び変形形態は、適宜組み合わせて用いることもできるが、詳細な説明は省略する。また、本発明は以上説明した実施形態によって限定されることはない。
【図面の簡単な説明】
【００５４】
【図１】第１実施形態のレンズ鏡筒３が装着されたカメラ１の概略側面図である。
【図２】（ａ）は第１実施形態のレンズ鏡筒の内部を概略的に示した図であり、（ｂ）は（ａ）の比較形態の図である。
【図３】第１実施形態のレンズ鏡筒における係合部の配置を説明する図である。
【図４】（ａ）は第２実施形態のレンズ鏡筒の内部を概略的に示した図であり、（ｂ）は図４（ａ）の比較形態の図である。
【図５】本発明の第３実施形態の構造を示す斜視図である。
【図６】第３実施形態の構造を示す斜視図である。
【図７】（ａ）は第３実施形態のレンズ鏡筒の内部を概略的に示した図であり、（ｂ）は（ａ）の比較形態である。
【図８】（ａ）はガイド軸が２本の場合の変形形態におけるレンズ鏡筒の内部を概略的に示した図であり、（ｂ）は係合部の配置を説明する図である。
【符号の説明】
【００５５】
１：カメラ、３：レンズ鏡筒、５：第1ガイド軸、６：第２ガイド軸、７：第３ガイド軸、８：前側フランジ、９：後側フランジ、１１，３１：第１レンズ保持枠、１２，３２：第２レンズ保持枠、１３ａ，２１ａ，２２ａ，２３ａ，３６ａ，３７ａ：第１係合部、１３ｂ，２１ｂ，２２ｂ，２３ｂ，３６ｂ，３７ｂ：第２係合部、１３ｃ，２１ｃ，２２ｃ，２３，３６ｃ，３７ｃ：第３係合部、３３：第３レンズ保持枠
【図１】
2010008889.tif 000003
【図２】
2010008889.tif 000004
【図３】
2010008889.tif 000005
【図４】
2010008889.tif 000006
【図５】
2010008889.tif 000007
【図６】
2010008889.tif 000008
【図７】
2010008889.tif 000009
【図８】
2010008889.tif 000010